(57)【要約】【課題】躯体形成空間と型枠との間での足場の組立及び解体作業の簡素化を図り、その作業手間の削減すること。【解決手段】躯体形成空間Ｋに対向する型枠１０の内面側１０ａに配置される状態で型枠１０に取付自在な足場用支持体２と、型枠１０の横幅方向に延びる姿勢で足場用支持体２に支持される足場板３とが備えられている。【選択図】図１
2015212495.tif 000002
【特許請求の範囲】
【請求項１】
躯体形成空間に対して遠近方向に移動自在に備えられている型枠に対して設置自在な足場装置であって、
前記躯体形成空間に対向する前記型枠の内面側に配置される状態で前記型枠に取付自在な足場用支持体と、前記型枠の横幅方向に延びる姿勢で前記足場用支持体に支持される足場板とが備えられている足場装置。
【請求項２】
前記足場用支持体は、前記型枠の上端部に吊り下げ支持される状態で取り付けられている請求項１に記載の足場装置。
【請求項３】
前記足場用支持体は、前記型枠の上端部に吊り下げ支持された状態でその型枠の上端部から下方側部位まで延びる長さを有している請求項２に記載の足場装置。
【請求項４】
請求項１〜３のいずれか１項に記載の足場装置を用いたコンクリート躯体の施工方法であって、
前記躯体形成空間に対して前記型枠を離間させる状態に位置させ、その枠体の内面側に前記足場装置を設置する第１ステップと、
前記足場装置を利用して前記躯体形成空間に鉄筋を配筋する第２ステップと、
前記枠体から前記足場装置を取り外し、前記枠体を前記躯体形成空間に対して接近方向に移動させる第３ステップと、
前記躯体形成空間にコンクリートを打設し、そのコンクリートが固化した後に前記型枠を脱型させる第４ステップとを有するコンクリート躯体の施工方法。
【発明の詳細な説明】
【技術分野】
【０００１】
本発明は、コンクリート壁体等の躯体を構築する際に用いる足場装置、及び、その足場装置を用いたコンクリート躯体の施工方法に関する。
【背景技術】
【０００２】
コンクリート壁体等の躯体を構築する際には、躯体形成空間に鉄筋を配筋し、その躯体形成空間を挟む状態で所定間隔を隔てて一対の型枠を配置し、躯体形成空間にコンクリートを打設するという一連の作業を上方に向けて繰り返すことで、高さのあるコンクリート壁体を構築している（例えば、特許文献１参照。）。
【０００３】
このようなコンクリート躯体を構築する場合に用いる型枠として、例えば、型枠の下端部にローラを設け、そのローラを躯体形成空間に対して遠近方向に案内する案内機構を設けることで、躯体形成空間に対して遠近方向に型枠を移動自在に備えているシステム型枠が知られている（例えば、特許文献２参照。）。この特許文献２に記載のものでは、躯体形成空間に対して型枠を離間させる状態に位置させて、躯体形成空間に鉄筋を配筋したのち、型枠を躯体形成空間に対して接近方向に移動させて、躯体形成空間にコンクリートを打設するようにしている。
【先行技術文献】
【特許文献】
【０００４】
【特許文献１】特開２０１１−２５６６１０号公報
【特許文献２】特開平６−８１４６１号公報
【発明の概要】
【発明が解決しようとする課題】
【０００５】
上記特許文献２に記載の型枠では、遠近方向での移動距離がその型枠の種類や形式等の各種条件に応じて設定されており、遠近方向での移動距離が短く設定されているものがある。また、施工現場によっては、型枠の遠近方向での移動距離が大きく取れない場合もある。
【０００６】
遠近方向での型枠の移動距離が短い場合には、躯体形成空間に対して離間させる状態で型枠を位置させたときに、躯体形成空間と型枠との間の間隔が小さくなる。したがって、躯体形成空間に対する配筋作業等を行う場合に、躯体形成空間と型枠との間に立ち馬等の補助作業台を設置するスペースを確保できない。そこで、例えば、複数の単管から組み立てる自立型の足場、所謂単管足場を設置することが考えられるが、この単管足場の組み立て作業だけでなく、その単管足場の解体作業も行わなければならず、非常に手間と時間がかかるものとなる。
【０００７】
この実情に鑑み、本発明の主たる課題は、躯体形成空間と型枠との間での足場の組立及び解体作業の簡素化を図り、その作業手間の削減することができる足場装置、及び、その足場装置を用いたコンクリート躯体の施工方法を提供する点にある。
【課題を解決するための手段】
【０００８】
本発明の第１特徴構成は、躯体形成空間に対して遠近方向に移動自在に備えられている型枠に対して設置自在な足場装置であって、
前記躯体形成空間に対向する前記型枠の内面側に配置される状態で前記型枠に取付自在な足場用支持体と、前記型枠の横幅方向に延びる姿勢で前記足場用支持体に支持される足場板とが備えられている点にある。
【０００９】
本特徴構成によれば、躯体形成空間に対して型枠を離間させる状態でその型枠の内面側に足場用支持体を取り付け、その足場用支持体に支持されるように型枠の横幅方向に延びる姿勢で足場板を備えるだけで、躯体形成空間と型枠との間に足場装置を設置することができる。これにより、躯体形成空間に対して型枠を離間させた状態で、型枠の内面側と躯体形成空間の間の小さなスペースであっても、そのスペースに足場装置を設置することができ、その足場装置を用いて躯体形成空間に対する配筋作業等を行うことができる。しかも、足場用支持体の取り付け対象を十分な強度を有する型枠としていることから、足場用支持体を安定して取り付けることができる。また、足場用支持体から足場板を取り外し、足場用支持体も型枠の内面側から取り外すだけで、足場装置の解体作業も行うことができる。したがって、躯体形成空間と型枠との間での足場の組立及び解体作業の簡素化を図り、その作業手間を削減することができる。
【００１０】
本発明の第２特徴構成は、前記足場用支持体は、前記型枠の上端部に吊り下げ支持される状態で取り付けられている点にある。
【００１１】
本特徴構成によれば、足場用支持体を型枠の上端部に吊り下げ支持させるだけで、足場用支持体を取り付けることができ、その取り付け作業の簡素化を図ることができる。しかも、型枠の上端部に吊り下げ支持していることから、足場用支持体にかかる荷重を型枠にて受けることができ、強い荷重にも耐え得るように足場用支持体を適切に取り付けることができる。
【００１２】
本発明の第３特徴構成は、前記足場用支持体は、前記型枠の上端部に吊り下げ支持された状態でその型枠の上端部から下方側部位まで延びる長さを有している点にある。
【００１３】
本特徴構成によれば、足場用支持体が型枠の上端部から下方側部位まで延びる十分な長さを有しているので、例えば、型枠の下方等に設置される作業床を用いて作業者が足場用支持体を持ち上げることで、その足場用支持体を型枠の上端部に引っ掛けることができる。このように、作業者が足場用支持体を持ち上げて型枠の上端部に引っ掛けるという簡易な作業によって、足場用支持体を吊り下げ支持することができる。
【００１４】
本発明の第４特徴構成は、上述の足場装置を用いたコンクリート躯体の施工方法であって、
前記躯体形成空間に対して前記型枠を離間させる状態に位置させ、その枠体の内面側に前記足場装置を設置する第１ステップと、
前記足場装置を利用して前記躯体形成空間に鉄筋を配筋する第２ステップと、
前記型枠から前記足場装置を取り外し、前記型枠を前記躯体形成空間に対して接近方向に移動させる第３ステップと、
前記躯体形成空間にコンクリートを打設し、そのコンクリートが固化した後に前記型枠を脱型させる第４ステップとを有する点にある。
【００１５】
本特徴構成によれば、第１ステップを行うことで、躯体形成空間に対して離間させる状態に位置させた型枠の内面側に足場用支持体及び足場板を設置することができる。第２ステップを行うことで、その足場板に作業者が載って躯体形成空間に鉄筋を配筋することができ、配筋作業の簡素化を図ることができる。第３ステップを行うことで、型枠から足場用支持体及び足場板を簡易に取り外すことができながら、所望の位置まで型枠を躯体形成空間に対して接近移動させることができ、第４ステップを行うことで、躯体形成空間にコンクリート躯体を構築することができる。このような施工方法によって、躯体形成空間と型枠との間での足場の組立及び解体作業の簡素化を図り、その作業手間の削減することができながら、躯体形成空間にコンクリート躯体を適切に構築できる。
【図面の簡単な説明】
【００１６】
【図１】第１ステップにおける施工状態を示す図
【図２】第２ステップにおける施工状態を示す図
【図３】第３ステップにおける施工状態を示す図
【図４】第４ステップにおける施工状態を示す図
【図５】足場装置の設置過程を示す図
【図６】足場装置の設置過程を示す図
【発明を実施するための形態】
【００１７】
本発明に係る足場装置及びその足場装置を用いたコンクリート躯体の施工方法の実施形態を図面に基づいて説明する。
【００１８】
この実施形態では、図１〜図４に示すように、躯体形成空間Ｋに、コンクリート躯体としてのコンクリート壁体１００を構築している。コンクリート壁体１００を上下方向で複数の施工区分に区分けし、下から上方に向かって段階的に施工することで、高さの高いコンクリート壁体１００を構築している。図１〜図４では、施工済みのコンクリート壁体１００に対して、１つ上の施工区分にてコンクリート壁体１００を施工していく工程を示している。
【００１９】
各施工区分にて用いる型枠１０は、施工が完了した施工区分から取り外し、図外のクレーンを用いて上方に吊り上げて１つ上の施工区分に対して設置するという形態で、一対の型枠１０を施工区分に合わせて下から上方に順次吊り上げながら設置していくようにしている。
【００２０】
各施工区分では、図１に示すように、躯体形成空間Ｋに対して型枠１０を離間させる状態に位置させ、図２に示すように、躯体形成空間Ｋに鉄筋２０を配筋する。そして、図３に示すように、型枠１０を躯体形成空間Ｋに対して接近方向に移動させ、図４に示すように、躯体形成空間Ｋにコンクリートを打設し、そのコンクリートが固化した後に型枠１０を脱型させている。この施工に用いる型枠１０としては、躯体形成空間Ｋに対する遠近方向に移動自在なものであればよく、各種の型枠を適用することができる。
【００２１】
以下、躯体形成空間Ｋに対する遠近方向を、「型枠１０の内外方向」と称し、図１〜図４にて例示した型枠１０について説明を加える。この実施形態では、型枠１０が、躯体形成空間Ｋを挟んで一対備えられており、一対の型枠１０は、同様の構成を有している。一対の型枠１０の夫々は、躯体形成空間Ｋに対する遠近方向に移動自在に備えられたシステム型枠として構成されている。
【００２２】
このシステム型枠は、型枠１０の内外方向に延びる作業床１３に対して、型枠１０の内外方向に移動自在な移動部材１４を備えており、この移動部材１４に型枠１０が連結固定されている。移動部材１４は、複数のフレームを組み合わせて構成されており、型枠１０よりも外方側で起立姿勢の縦フレーム１４ａと、その縦フレーム１４ａの下端部から型枠１０の外方側に延びる下部フレーム１４ｂとを有する側面視でＬ字状に形成されている。移動部材１４は、縦フレーム１４ａ及び下部フレーム１４ｂに加えて、縦フレーム１４ａと下部フレーム１４ｂとを連結する傾斜姿勢の連結フレーム１４ｃが備えられている。また、図示は省略するが、縦フレーム１４ａ及び下部フレーム１４ｂは、型枠１０の横幅方向に間隔を隔てて複数備えられており、複数の縦フレーム１４ａを連結する横フレームも備えられている。
【００２３】
移動部材１４を移動させるための構成としては、詳細な図示は省略するが、例えば、下部フレーム１４ｂに備えられたローラを型枠１０の内外方向に案内するガイドレール等の案内部材が設けられており、その案内部材をローラが転動することで、移動部材１４が作業床１３上をスライド移動するように構成されている。移動部材１４を移動させるための駆動源としては、例えば、油圧モータや油圧シリンダ等の各種の駆動源を適用することができる。
【００２４】
移動部材１４については、型枠１０の内外方向に移動自在に支持されているものであればよく、上述の如く、作業床１３上をスライド移動するものに限らない。例えば、型枠１０の上方側に型枠１０の内外方向に延びるガイドレール等の案内部材を設置し、この案内部材に沿って移動自在に移動部材１４を吊り下げ支持することで、移動部材１４を吊り下げ支持させた状態で型枠１０の内外方向に移動自在に備えることもできる。また、一対の型枠１０のうち、一方の移動部材１４については、作業床１３上をスライド移動自在とし、他方の移動部材１４については、吊り下げ支持された状態で型枠１０の内外方向に移動自在とすることもできる。ちなみに、移動部材１４を吊り下げ支持するときの案内部材については、例えば、型枠１０の外側に足場を階層状態で設置し、その足場の仮設部材等を用いて案内部材を支持することができる。
【００２５】
作業床１３は、施工済みのコンクリート壁体１００ａに形成された孔部１０１に連結ロッド１５を挿入してボルトナットにより施工済みのコンクリート壁体１００ａに固定支持されている。このように、施工済みのコンクリート壁体１００の上端側部位を利用して作業床１３を固定している。
【００２６】
型枠１０の外方側には、型枠１０から外方側に延びる外側足場１１と、その外側足場１１から連設された手摺１２とが備えられている。この外側足場１１及び手摺１２は、上下方向で型枠１０の中間部と上端部との２階層に配置されている。
【００２７】
上述のような型枠１０として、内外方向での移動距離が短い距離（例えば、５００ｍｍ又は８００ｍｍ）に設定されているものがある。また、施工現場によっては、型枠１０の内外方向での移動距離が大きく取れない場合もある。そこで、図１に示すように、躯体形成空間Ｋに対して遠近方向に移動自在に備えられている型枠１０に対して、その型枠１０の内面側に設置自在な足場装置１が設けられており、型枠１０の内面側１０ａと躯体形成空間Ｋとの間の小さなスペースであっても、そのスペースに足場装置１を設置するようにしている。
【００２８】
足場装置１は、図５及び図６に示すように、躯体形成空間Ｋに対向する型枠１０の内面側１０ａに配置される状態で型枠１０に取付自在な足場用支持体２と、型枠１０の横幅方向に延びる姿勢で足場用支持体２に支持される足場板３とが備えられている。図５（ａ）は、足場装置１を設置する当初の状態を示しており、図５（ｂ）は、足場装置１を設置した最終の状態の一例を示している。図６は、足場装置１を設置する過程での斜視図を示している。
【００２９】
足場用支持体２は、上下方向に延びる単管４と、その単管４の上端部に固定されて型枠１０の上端部に引っ掛け自在な引っ掛け部５と、その単管４の上下方向の途中部位に固定されて足場板３を支持するブラケット６とが備えられている。足場用支持体２は、型枠１０の上端部に引っ掛け部５を引っ掛けることで、型枠１０の上端部に吊り下げ支持される状態で取り付けられる。単管４は、型枠１０の上端部に吊り下げ支持された状態で、型枠１０の上端部から下方側部位まで延びる長さを有している。これにより、図５（ａ）に示すように、作業床１３に居る作業者が、引っ掛け部５を型枠１０の上端部よりも上方側に位置させるように、足場用支持体２を持ち上げるだけで、型枠１０の上端部に引っ掛け部５を引っ掛ける作業を行うことができる。
【００３０】
引っ掛け部５は、複数の板材を組み合わせて構成されており、図６に示すように、型枠１０の内面側１０ａと外面側１０ｂの両側で下方側に延びる脚部を有する門型形状の第１板材５ａと、型枠１０の内面側１０ａと対向する姿勢の第２板材５ｂと、型枠１０の上面側１０ｃと対向する姿勢の第３板材５ｃと、型枠１０の外面側１０ｂと対向する姿勢の第４板材５ｄとが備えられている。第１板材５ａは、型枠１０の横幅方向で薄板となるように設けられており、第２板材５ｂ、第３板材５ｃ、第４板材５ｄの夫々が、第１板材５ａから型枠１０の横幅方向に延びるように設けられている。このように、第２板材５ｂ、第３板材５ｃ、第４板材５ｄによって、足場用支持体２として型枠１０の横幅方向にある程度の幅を有することで、型枠１０の上端部に吊り下げ支持された状態で足場用支持体２の移動や拗れ等が生じ難く、足場用支持体２の位置及び姿勢が変わることなく、適切に取り付けることができる。
【００３１】
ブラケット６は、型枠１０の内外方向に延びる第１部位６ａとその第１部位６ａの外側端部から下方側に延びる第２部位６ｂとを有する側面視でＬ字状のパイプ部材にて構成されている。また、ブラケット６は、第１部位６ａと第２部位６ｂを連結する傾斜姿勢の第３部位６ｃも備えられている。ブラケット６は、単管４に対して第２部位６ｂが型枠１０の内側に隣接位置するように単管４に固定されており、第１部位６ａ上に足場板３を載置支持できるようになっている。図示は省略するが、単管４に対するブラケット６の固定については、クランプ部材等を用いて行っている。そして、ブラケット６は、クランプ部材等により単管４に固定されており、単管４の長手方向に移動自在に備えられており、上下方向でのブラケット６の位置を調整できるようになっている。
【００３２】
足場用支持体２におけるブラケット６の第１部位６ａの長さは、型枠１０における移動部材１４の移動距離よりも短くなっており、躯体形成空間Ｋに対して型枠１０を離間させた状態で足場用支持体２を型枠１０の内面側１０ａに設置したときに、その型枠１０の内面側１０ａと躯体形成空間Ｋとの間のスペース内にブラケット６の第１部位６ａが収まるように構成されている。これにより、型枠１０の内面側１０ａと躯体形成空間Ｋとの間の小さなスペースであっても、第１部位６ａにて載置支持する状態で足場板３を設置することができる。また、第１部位６ａの長さを、型枠１０の内面側１０ａと躯体形成空間Ｋとの間のスペースの全体に亘るような長さにすることで、小さなスペースであっても、そのスペースの全体に亘る状態で足場板３を設置することができる。これにより、足場としてより大きなスペースを確保でき、作業者の作業環境の向上を図り、作業効率の向上に繋がることになる。
【００３３】
上述の如く、型枠１０の内面側１０ａと躯体形成空間Ｋとの間の小さなスペースであっても、そのスペースに足場装置１を設置することができるので、この足場装置１を用いて躯体形成空間Ｋに対する作業を行うことができる。そこで、各施工区分における施工方法として、図１〜図４に示すように、第１ステップ、第２ステップ、第３ステップ、第４ステップを順次行うようにしている。
【００３４】
第１ステップでは、図１に示すように、躯体形成空間Ｋに対して型枠１０を離間させる状態に位置させ、その型枠１０の内面側１０ａに足場装置１を設置している。第２ステップでは、図２に示すように、足場装置１を利用して躯体形成空間Ｋに鉄筋２０を配筋している。第３ステップでは、図３に示すように、型枠１０から足場装置１を取り外し、型枠１０を躯体形成空間Ｋに対して接近方向に移動させている。第４ステップでは、図４に示すように、躯体形成空間Ｋにコンクリートを打設し、そのコンクリートが固化した後に、型枠１０を躯体形成空間Ｋから離間させて型枠１０を脱型させている。
【００３５】
第１ステップにおいて、型枠１０の内面側に足場装置１を設置する際には、図５（ａ）に示すように、まず、躯体形成空間Ｋに対して型枠１０を離間させた型枠１０の上端部に引っ掛け部５を引っ掛けて、型枠１０の上端部に吊り下げ支持させる状態で足場用支持体２を取り付けている。そして、図５（ｂ）に示すように、複数の足場用支持体２を型枠１０の横幅方向に間隔を隔てて取り付けており、足場板３を複数の足場用支持体２に亘って型枠１０の横幅方向に延びる姿勢で、各足場用支持体２のブラケット６における第１部位６ａ上に載置支持させるように配置している。各足場用支持体２において、結束具等によりブラケット６に足場板３を結束して足場板３を固定している。
【００３６】
このように、吊り下げ支持された複数の足場用支持体２に亘る状態で足場板３を結束固定することで、この足場板３によって複数の足場用支持体を繋ぐ桁材を兼用することができる。また、第１部位６ａの先端部には、図６に示すように、上方側に延びる起立壁部６ｄが備えられており、足場板３が第１部位６ａ上に載置支持されたときに、その起立壁部６ｄが足場板３の側部に当接することで、足場板３の移動を規制している。
【００３７】
足場用支持体２を型枠１０の上端部に吊り下げ支持する際には、図示は省略するが、単管４と型枠１０の内面側１０ａとの間に養生部材を配置させて、足場用支持体２の単管４と型枠１０の内面側１０ａとの接触を抑止して、型枠１０の内面側１０ａの損傷等を防止している。例えば、コンクリート壁体１００に目地を形成するために、型枠１０の内面側１０ａに目地形成部材を備える場合には、その目地形成部材を単管４と型枠１０の内面側１０ａとの間に位置させるように足場用支持体２を設置することで、養生部材として目地形成部材を利用することができる。また、単管４と型枠１０の内面側１０ａとの間に養生部材としての薄板を設けたり、型枠１０自体を巻くように養生部材としてのクッション部材を設けることもできる。
【００３８】
足場用支持体２については、足場板３を支持するためだけでなく、その他の用途にも用いることができる。例えば、型枠１０の横幅方向に隣接する足場用支持体２の単管４同士を連結する連結支持部材を備え、その連結支持部材に梯子を立て掛けて設けることもできる。このように、足場用支持体２を梯子の立て掛け設置に用いることもできる。
【００３９】
〔別実施形態〕
（１）上記実施形態では、型枠１０の横幅方向に間隔を隔てて配置する複数の足場用支持体２を足場板３にて連結することで、その足場板３によって桁材を兼用しているが、例えば、型枠１０の横幅方向に間隔を隔てて配置する複数の足場用支持体２を繋ぐ桁材を、足場板３とは別に設けることもできる。この場合には、その桁材にて連結した複数の足場用支持体２を１つのユニットとし、そのユニットごとに設置することができる。
【００４０】
（２）上記実施形態では、単管４の上下方向の途中部位にブラケット６を１つ備えているが、このブラケット６を上下方向に間隔を隔てて複数備えることもできる。例えば、単管４の長さが５ｍ以上となる場合には、２つのブラケット６を備え、２つの足場板３を支持させることもできる。
【００４１】
（３）上記実施形態では、一対の型枠の両方を躯体形成空間に対して遠近方向に移動自在としているが、一対の型枠の一方のみを躯体形成空間に対して遠近方向に移動自在とすることもできる。この場合には、躯体形成空間に対して遠近方向に移動自在な型枠の内面側に足場装置を設置することができる。
【００４２】
また、例えば、山留め壁に隣接する空間を躯体形成空間として、その躯体形成空間にコンクリート壁体を構築する場合には、型枠を１つ備え、その型枠を躯体形成空間に対して遠近方向に移動自在に備えることができる。
【００４３】
（４）上記実施形態において、型枠としては、上述のようなシステム型枠に限るものではなく、シャタリング等を用いた大型システム型枠等の各種の型枠を用いることができる。
【産業上の利用可能性】
【００４４】
本発明は、コンクリート壁体等のコンクリート躯体を構築する際に用いる各種の足場装置、及び、その足場装置を用いたコンクリート躯体の各種の施工方法に適用可能である。
【符号の説明】
【００４５】
１          足場装置
２          足場用支持体
３          足場板
４          単管
１０        型枠
１０ａ      内面側
２０        鉄筋
１００      コンクリート壁体
Ｋ          躯体形成空間
【図１】
2015212495.tif 000003
【図２】
2015212495.tif 000004
【図３】
2015212495.tif 000005
【図４】
2015212495.tif 000006
【図５】
2015212495.tif 000007
【図６】
2015212495.tif 000008